(57)【要約】      （修正有）【課題】Ｕ字状屈曲部を有して患部に広く当てることが可能で、しかも、使用にあっては布地等を特に巻き付ける必要もなくて、保温性を有する温水式保温具を提供する。【解決手段】折り曲げ可能なゴム又は合成樹脂製のシート材料を主体として構成され、平面視して一部に不連続部１１を有する環状に湾曲した湾曲袋体１２と、湾曲袋体１２の一部に設けられた開閉可能な蓋１３を備えた水出入り口１４とを有する温水式保温具１０において、湾曲袋体１２の中央部１５が、湾曲袋体１２の両端部１８、１９を除く他の部分より細くなっている。【選択図】図１
0003145883.tif 000002
【実用新案登録請求の範囲】
【請求項１】
折り曲げ可能なゴム又は合成樹脂製のシート材料を主体として構成され、平面視して一部に不連続部を有する環状に湾曲した湾曲袋体と、前記湾曲袋体の一部に設けられた開閉可能な蓋を備えた水出入り口とを有する温水式保温具において、
前記湾曲袋体の中央部が、該湾曲袋体の両端部を除く他の部分より細くなっていることを特徴とする温水式保温具。
【請求項２】
請求項１記載の温水式保温具において、平面視した前記湾曲袋体の中央部の幅は、該湾曲袋体の最大幅部分の０．２５〜０．７倍の範囲にあることを特徴とする温水式保温具。
【請求項３】
請求項１及び２のいずれか１記載の温水式保温具において、前記シート材料は、表面側に布地が貼着され、厚みが５〜１２ｍｍの独立気泡のゴム又は合成樹脂シートであることを特徴とする温水式保温具。
【請求項４】
請求項３記載の温水式保温具において、前記ゴム又は合成樹脂シートは、独立気泡のクロロプレンゴムシート、ブタジエンゴムシート又はネオプレンゴムシートであることを特徴とする温水式保温具。
【請求項５】
請求項１〜４のいずれか１記載の温水式保温具において、前記湾曲袋体の中央部は拡幅した左側部及び右側部から徐々に縮幅していることを特徴とする温水式保温具。
【請求項６】
請求項１〜５のいずれか１記載の温水式保温具において、平面視した前記湾曲袋体の内側中空部は、上部の窪み凹部を直線状にしたハート形状となっていることを特徴とする温水式保温具。
【請求項７】
請求項１〜６のいずれか１記載の温水式保温具において、温水を入れた前記湾曲袋体の断面形状は扁平円形状となっていることを特徴とする温水式保温具。
【請求項８】
請求項１〜７のいずれか１記載の温水式保温具において、平面視した前記湾曲袋体の内側半径は、５〜８ｃｍの範囲にあることを特徴とする温水式保温具。
【請求項９】
請求項８記載の温水式保温具において、両端部を除く平面視した前記湾曲袋体の平均幅は、４〜８ｃｍの範囲にあることを特徴とする温水式保温具。
【請求項１０】
請求項１〜９のいずれか１記載の温水式保温具において、前記水出入り口には雄ねじが形成され、雌ねじが形成された漏斗が螺合取付可能であることを特徴とする温水式保温具。
【請求項１１】
請求項１０記載の温水式保温具において、前記漏斗の一側端部には水排出部が形成されていることを特徴とする温水式保温具。
【考案の詳細な説明】
【技術分野】
【０００１】
本考案は、温水式保温具（所謂「湯たんぽ」）に係り、特にその形状を湾曲させて患部（首部、肩部、胴部、脚部）への装着性を向上した温水式保温具に関する。
【背景技術】
【０００２】
従来から特許文献１に示すような湯たんぽが提案されており、容器内にお湯を入れて、周囲に保温具等を巻いて使用されている。また、特許文献２に示すような湯たんぽも提案されており、周囲にマグネット粒を埋めて磁力温熱押圧健康具として提案されている。
ところが、特許文献１及び２に記載の湯たんぽは、形状が特定されているので、例えば、首の部分を加温しようとする場合、首の一部を加温することはできても、その大部分を加温することは困難であった。また、胴体や足を加温しようとする場合も同様な問題があった。更に、湯たんぽ本体は一般に金属や陶器でできているので、直接皮膚に触ると火傷をし、保温性もよくないので、布等を厚く巻く必要があるという問題もあった。
【０００３】
そこで、本考案者は、先に特許文献３に示すような温水式保温具を提案した。
この温水式保温具５０は、図９に示すように、屈曲可能なゴム又は合成樹脂製のシート材料を主体として構成され、湾曲した袋体容器５１と、その一方側に設けた蓋５２付きの水出入り口５３を有して構成されていた。
【０００４】
【特許文献１】実用新案登録第３１２７８８１号公報
【特許文献２】特開平５−２２８１９９号公報
【特許文献３】実用新案登録第３１３３８６２号公報
【考案の開示】
【考案が解決しようとする課題】
【０００５】
しかしながら、この温水式保温具５０は、中央位置にあるＵ字状屈曲部５３もその両側に形成される湾曲部５４、５５もその幅が略同一であり、かつ幅広であったので、患部に対する馴染み性が悪い、即ち身体にフィットしにくいという問題があった。更には、内容積が大きく、重量もあって人によっては、長期間使用できない場合もあった。
【０００６】
本考案はかかる事情に鑑みてなされたもので、Ｕ字状屈曲部を有して患部に広く当てることが可能で、しかも、使用にあっては布地等を特に巻き付ける必要もなくて、保温性を有する温水式保温具を提供することを目的にとする。
【課題を解決するための手段】
【０００７】
前記目的に沿う第１の考案に係る温水式保温具は、折り曲げ可能なゴム又は合成樹脂製のシート材料を主体として構成され、平面視して一部に不連続部を有する環状に湾曲した湾曲袋体と、前記湾曲袋体の一部に設けられた開閉可能な蓋を備えた水出入り口とを有する温水式保温具において、
前記湾曲袋体の中央部が、該湾曲袋体の両端部を除く他の部分より細くなっている。
なお、この温水式保温具は原則として温水を湾曲袋体内に入れて使用するが、場合によって冷水を湾曲袋体に入れて患部を冷やすために用いる場合も本考案は適用される。
【０００８】
また、第２の考案に係る温水式保温具は、第１の考案に係る温水式保温具において、平面視した前記湾曲袋体の中央部の幅は、該湾曲袋体の最大幅部分の０．２５〜０．７倍の範囲にある。
【０００９】
第３の考案に係る温水式保温具は、第１、第２の考案に係る温水式保温具において、前記シート材料は、表面側に布地が貼着され、厚みが５〜１２ｍｍの独立気泡のゴム又は合成樹脂シートである。ここで、前記ゴム又は合成樹脂シートは、断熱性を有する独立気泡のクロロプレンゴムシート、ブタジエンゴムシート又はネオプレンゴムシートであるのがよい。
【００１０】
第４の考案に係る温水式保温具は、第１〜第３の考案に係る温水式保温具において、前記湾曲袋体の中央部は拡幅した左側部及び右側部から徐々に縮幅している。
【００１１】
第５の考案に係る温水式保温具は、第１〜第４の考案に係る温水式保温具において、平面視した前記湾曲袋体の内側中空部は、上部の窪み凹部を直線状にしたハート形状となっている。
【００１２】
第６の考案に係る温水式保温具は、第１〜第５の考案に係る温水式保温具において、温水を入れた前記湾曲袋体の断面形状は扁平円形状となっている
【００１３】
第７の考案に係る温水式保温具は、第１〜第６の考案に係る温水式保温具において、平面視した前記湾曲袋体の内側半径は、５〜８ｃｍの範囲にある。
【００１４】
第８の考案に係る温水式保温具は、第７の考案に係る温水式保温具において、両端部を除く平面視した前記湾曲袋体の平均幅は、４〜８ｃｍの範囲にある。
【００１５】
第９の考案に係る温水式保温具は、第１〜第８の考案に係る温水式保温具において、前記水出入り口には雄ねじが形成され、雌ねじが形成された漏斗が螺合取付可能である。
【００１６】
そして、第１０の考案に係る温水式保温具は、第９の考案に係る温水式保温具において、前記漏斗の一側端部には水排出部が形成されている。
【考案の効果】
【００１７】
本考案に係る温水式保温具は、折り曲げ可能なゴム又は合成樹脂製のシート材料を主体とする湾曲袋体と、湾曲袋体の一部に設けられた開閉可能な蓋を備えた水出入り口とを有する温水式保温具において、湾曲袋体の中央部が、湾曲袋体の両端部を除く他の部分より細くなっているので、温水を入れた状態の湾曲袋体の細くなった部分の屈曲性が増し、より身体に沿って湾曲袋体を当接させることができる。
特に、この温水式保温具を首に掛ける場合は、細くなった湾曲袋体の中央部が首の後部に当たり、その両側部は首に沿いながらその重量で身体により立体的に触れる。
【００１８】
また、水出入り口に雄ねじが形成され、雌ねじが形成された漏斗が螺合取付可能とした場合には、温水を注ぐのが容易となり、この漏斗の一側端部に水排出部を設けることによって温水（水）の排水が容易となる。
【考案を実施するための最良の形態】
【００１９】
続いて、添付した図面を参照しつつ、本考案を具体化した実施の形態につき説明し、本考案の理解に供する。
ここで、図１は本考案の一実施の形態に係る温水式保温具の平面図、図２は同側面図、図３は同背面図、図４は同正面図、図５は同断面図、図６は同温水式保温具にお湯を注ぐ状態の側面図、図７（Ａ）は漏斗の平面図、（Ｂ）は断面図、図８は水出入り口周りの断面図である。
【００２０】
図１〜図４に示すように、本考案の一実施の形態に係る温水式保温具１０は、折り曲げ可能なゴム又は合成樹脂製のシート材料２３、２４を主体として構成され、平面視して一部に不連続部１１を有する環状に湾曲した湾曲袋体１２と、湾曲袋体１２の一部に設けられた開閉可能な蓋１３を備えた水出入り口１４とを有する。
【００２１】
そして、温水を入れた状態、即ち使用状態（以下、同じ）の湾曲袋体１２の中央部１５の幅ａは３．５〜７ｃｍ、この中央部１５に連接する左側部１６、右側部１７の最大幅は、７〜１０ｃｍとなって、湾曲袋体１２の中央部１５の幅ａは、両端部１８、１９を除く他の部分（左側部１６及び右側部１７）の幅より狭くなっている。なお、平面視した湾曲袋体１２の中央部１５の幅ａは、湾曲袋体１２の最大幅部分の幅の０．２５〜０．７倍の範囲にあるのがよい。
【００２２】
湾曲袋体１２の内側中空部２０の幅ｗは例えば１１〜１５ｃｍ、高さ（縦方向の長さ）ｈは１４〜２０ｃｍとなっている。従って、平面視した湾曲袋体１２の内側半径は、平均して５〜８ｃｍの範囲にある。また、平面視した内側中空部２０の形状は、上部の窪み凹部を直線状にしたハート形状となっている。湾曲袋体１２の中央部１５は拡幅した左側部１６及び右側部から徐々に縮幅し、中央部１５の外側部分に円弧状の凹部２１を形成している。なお、中央部１５及びこれに連接される左側部１６及び右側部１７の一部でＵ字状屈曲部を形成している。また、両端部１８、１９を除く湾曲袋体１２の平均幅は４〜８ｃｍとするのが好ましい。
【００２３】
図５、図８に示すように、湾曲袋体１２は上下２枚のシート材料２３、２４を接着縫合して形成されている。このシート材料２３、２４は、表面側（即ち、露出面側）に、布地２５が貼着され、厚みが５〜１２ｍｍの独立気泡のゴム又は合成樹脂シートである例えば、独立気泡のクロロプレンゴムシート２６からなる。このように、シート材料２３、２４の厚みが厚く、独立気泡型であるので、熱伝導性が悪く、湾曲袋体１２の内部に８０〜１００℃の熱水を入れても、外側表面温度を３５〜４５℃とすることができ、更にお湯の保温性を保つことができる。なお、クロロプレンゴムシート２６の代わりに、独立気泡のブタジエンゴムシート又はネオプレンゴムシートを使用することもできる。
【００２４】
シート材料２３、２４の表面に貼着されている布地２５は厚みが０．５〜１ｍｍのジャージからなり、クロロプレンゴムシート２６に強固に接合されている。なお、ジャージは十分強度を有する化学繊維を使用する。これによってジャージに着色でき、図形、模様、文字を記載できる。
【００２５】
上下のシート材料２３、２４は同一形状となって、原材料からプレス抜きされた平面状のシート材料２３、２４の切断端部を、布地２５を表側にして接着剤にて突き合わせ接合している。なお、プレス抜きするシート材料２３、２４の幅は、製造しようする温水式保温具１０が膨らんだ状態の直径をＤとすると、πＤ／２近傍とする。そして、シート材料２３、２４の向き合った布地２５については、使用する糸がクロロプレンゴムシート２６を貫通しないようにする懸け縫いを行って、シート材料２３、２４を縫合する。
【００２６】
シート材料２３、２４を接合して構成された湾曲袋体１２の断面は、図５に示すように、扁平円形状（即ち、楕円状）をしている。この実施の形態においては、シート材料２３、２４の厚みが厚く、シート材料２３、２４は突き合わせ接合をしているので、湾曲袋体１２内に温水が入っている状態でも入っていない状態でも同一形状をしている。
【００２７】
湾曲袋体１２の右側部１７（左側部１６であってもよい）には、水出入り口１４が設けられている。水出入り口１４は、図８に示すように、シート材料２３に設けられた貫通孔２７に装着され、貫通孔２７にフランジ２８を有する筒体２９を固定している。筒体２９の上部には雄ねじ３０が形成されている。蓋１３にはこの雄ねじ３０に螺合する雌ねじ３２が設けられていると共に、筒体２９の上端が当接するシール部３３とを有している。
【００２８】
この温水式保温具１０には、図６に示すように、水出入り口１４を構成する筒体２９の雄ねじ３０に螺合する雌ねじ３４が形成された漏斗（ジョロ）３５が別に備えられている。この漏斗３５は、図７（Ａ）、（Ｂ）に示すように、雌ねじ３４が形成された筒体３６と筒体３６の上端に一体的に取り付けられた上部開放の容器３７とを有し、容器３７は平面視して長円形となって一端部に把手３８が他端部には水排出部３９が設けられている。
【００２９】
続いて、この温水式保温具１０の使用方法について説明する。
この温水式保温具１０の水出入り口１４の蓋１３を開けて、漏斗３５を雄ねじ３０及び雌ねじ３４を介して取付け、この漏斗３５を介して湾曲袋体１２内にお湯を入れる。湾曲袋体１２内に略満杯のお湯を入れた後、漏斗３５を外して蓋１３を取り付ける。
【００３０】
これによって、温水式保温具１０の使用準備が完了する。湾曲袋体１２内に熱湯をいれても、シート部材２３、２４が十分な断熱性を有し、湾曲袋体１２の外表面は、人体に火傷を起こすような温度にはならないので、首等の患部に巻き付けるようにして配置される。この場合、湾曲袋体１２の中央部１５は他の部分より細くなっているので、容易に患部の凹凸にフィットすることになる。また、湾曲袋体１２内の水を排水する場合には、前記した漏斗３５をそのまま使用することもできる。
【００３１】
本考案は前記した実施の形態に限定されるものではなく、例えば数値変更は本考案の要旨を変更しない範囲まで許される。また、本考案に係る温水式保温具をそのまま内部に冷水を入れて使用する場合は、冷し具となるが、中に入れる水の温度によって本考案は限定されず、本考案はこの冷し具にも適用される。
【図面の簡単な説明】
【００３２】
【図１】本考案の一実施の形態に係る温水式保温具の平面図である。
【図２】同側面図である。
【図３】同背面図である。
【図４】同正面図である。
【図５】同断面図である。
【図６】同温水式保温具にお湯を注ぐ状態の側面図である。
【図７】（Ａ）は漏斗の平面図、（Ｂ）は断面図である。
【図８】水出入り口周りの断面図である。
【図９】従来例に係る温水式保温具の平面図である。
【符号の説明】
【００３３】
１０：温水式保温具、１１：不連続部、１２：湾曲袋体、１３：蓋、１４：水出入り口、１５：中央部、１６左側部、１７：右側部、１８、１９：端部、２０：内側中空部、２１：凹部、２３、２４：シート材料、２５：布地、２６：クロロプレンゴムシート、２７：貫通孔、２８：フランジ、２９：筒体、３０：雄ねじ、３２：雌ねじ、３３：シール部、３４：雌ねじ、３５：漏斗、３６：筒体、３７：容器、３８：把手、３９：水排出部
【図１】
0003145883.tif 000003
【図２】
0003145883.tif 000004
【図３】
0003145883.tif 000005
【図４】
0003145883.tif 000006
【図５】
0003145883.tif 000007
【図６】
0003145883.tif 000008
【図７】
0003145883.tif 000009
【図８】
0003145883.tif 000010
【図９】
0003145883.tif 000011